(57)【要約】【課題】本発明は、システムの構築に時間と手間と費用がかからず、また通行を許可されていない者が簡単に出入りできることのない出入管理システムを提供することを目的とするものである。【解決手段】  本発明による出入管理システムは、自己の発信電話番号が相手側電話器に認識出来るよう設定された発信用電話器と、発信用電話器からの送信により発信電話番号を認識しうる受け側電話器とを有し、受け側電話器側には、発信電話番号記憶手段と認識手段、電話番号比較手段、同一判定手段、判定結果出力手段、ゲート開扉手段とを備えたことを特徴とするものである。【選択図】　　　　図１
2004076571.tif 000002
【特許請求の範囲】
【請求項１】
発信した電話器の電話番号が相手側電話器に認識出来るよう設定された発信用電話器と、
　前記発信用電話器からの送信により発信電話番号を認識しうる受け側電話器と、
　を有し、
　前記受け側電話器側には、
　複数の発信電話番号があらかじめ登録されて記憶された発信電話番号記憶手段と、
　前記発信用電話器からの送信により発信電話番号を認識する認識手段と、
　前記認識された発信電話番号と、あらかじめ登録されて記憶された複数の電話番号とを比較する電話番号比較手段と、
　比較の結果、同一の電話番号か否かを判定する同一判定手段と、
　同一の電話番号であるとき、あるいは同一でないときの判定結果を各々出力する判定結果出力手段と、
　同一の電話番号であるとの判定結果出力によりゲートを開扉するゲート開扉手段と、
　を備えたことを特徴とする出入管理システム。
　
【請求項２】
発信した電話器の電話番号が相手側電話器に認識出来るよう設定された発信用電話器と、
　前記発信用電話器からの送信により発信電話番号を認識しうる受け側電話器と、
　を有し、
　前記受け側電話器側には、
受け側電話器に対する呼び出しコール回数があらかじめ設定されたコール回数と同一か否かを判定するコール回数判定手段と、
　呼び出しコール回数が設定されたコール回数と同一であるときに前記発信用電話器の発信電話番号を認識する認識手段と、
　複数の発信電話番号があらかじめ登録されて記憶された発信電話番号記憶手段と、
　前記認識された発信電話番号と、あらかじめ登録されて記憶された複数の発信電話番号とを比較する電話番号比較手段と、
　比較の結果、同一の電話番号か否かを判定する同一判定手段と、
　同一の電話番号であるとき、あるいは同一でないときの判定結果を各々出力する判定結果出力手段と、
　同一の電話番号であるとの情報出力によりゲートを開扉するゲート開扉手段と、
　を備えたことを特徴とする出入管理システム。
　
【請求項３】
発信した電話器の電話番号が相手側電話器に認識出来るよう設定された複数の発信用電話器と、
　前記複数の発信用電話器からの送信により発信電話番号を認識しうる受け側電話器と、
　を有し、
　前記受け側電話器側には、
　複数の発信電話番号があらかじめ登録されて記憶された発信電話番号記憶手段と、
　記憶された発信電話番号毎に特定の出力位置が設定される出力位置設定手段と、
　前記発信用電話器からの送信により発信電話番号を認識する認識手段と、
　前記認識された発信電話番号と、あらかじめ登録されて記憶された複数の電話番号とを比較する電話番号比較手段と、
　比較の結果、同一の電話番号か否かを判定する同一判定手段と、
　同一の電話番号であるとき、あるいは同一でないときの判定結果を各々出力する判定結果出力手段と、
　同一の電話番号であるとの判定結果が前記特定出力位置に出力され、前記特定の出力位置におけるゲートが開扉されるゲート開扉手段と、
　を備えたことを特徴とする出入管理システム。
【発明の詳細な説明】
【技術分野】
【０００１】
本発明は、駐車場のゲート開閉システム、ビルやマンションのエントランスに設置された扉開閉システムあるいは複数個あるコインボックス、貴金属保管箱、宅配ボックスおよびメールボックス等において各々のボックスにつきゲート開扉が行えるシステム等、ゲート、扉等の開閉に伴う出入管理システムに関するものである。
【背景技術】
【０００２】
　従来、駐車場のゲート開閉システム、あるいはビルやマンションのエントランスに設置された扉開閉システム等の扉の出入管理システムにおいて、出入りする人物（個人・グループなど）を認証する方法としては、カードリーダによって操作される例えばＩＤカードによる識別、若しくは特定の暗証番号の照合、または、人物の手指の指紋を器械で読取るなどの指紋照合方法、さらに近年では非接触型ＩＣカードによる照合方法（例えば鉄道用通行券システム）が一般に知られている。
【０００３】
　しかしながら、ＩＤカードによる認証については、利用者全員にカードを配布するため当該カード発行に多くの時間と手間と費用がかかる。
【０００４】
　また、暗証番号照合については、特定の暗証番号が外部に漏洩すると、通行を許可されていない者でも簡単に出入りできることとなる。
【０００５】
　更に、指紋照合の場合、高価な専用機器を用意する必要があり運用コストが高価になってしまい、また、稀に指紋の無い（薄い）人がいると判別不能となる。
【０００６】
　さらに、前記非接触型ＩＣカードによる照合方法についても高価な専用機器を用意する必要があり運用コストが高価になってしまい、かつ利用者全員にカードを配布するため当該カード発行に多くの時間と手間と費用がかかることになる。
【０００７】
【特許文献１】特開２００３−９７１１１号公報
【発明の開示】
【発明が解決しようとする課題】
【０００８】
　本発明は、前記従来の課題に鑑みて創案されたものであり、システムの構築に時間と手間と費用がかからず、また通行を許可されていない者が簡単に出入りできることのない出入管理システムを提供することを目的とするものである。
【課題を解決するための手段】
【０００９】
　本発明による出入管理システムは、
自己の発信電話番号が相手側電話器に認識出来るよう設定された発信用電話器と、
　前記発信用電話器からの送信により発信電話番号を認識しうる受け側電話器と、
　を有し、
　前記受け側電話器側には、
　複数の発信電話番号があらかじめ登録されて記憶された発信電話番号記憶手段と、
　前記発信用電話器からの送信により発信電話番号を認識する認識手段と、
　前記認識された発信電話番号と、あらかじめ登録されて記憶された複数の発信電話番号とを比較する電話番号比較手段と、
　比較の結果、同一の電話番号か否かを判定する同一判定手段と、
　同一の電話番号であるとき、あるいは同一でないときの判定結果を各々出力する判定結果出力手段と、
　同一の電話番号であるとの情報出力によりゲートを開扉するゲート開扉手段と、
　を備えたことを特徴とし、
　または、
　自己の発信電話番号が相手側電話器に認識出来るよう設定された発信用電話器と、
　前記発信用電話器からの送信により発信電話番号を認識しうる受け側電話器と、
　を有し、
　前記受け側電話器側には、
受け側電話器に対する呼び出しコール回数があらかじめ設定されたコール回数と同一か否かを判定するコール回数判定手段と、
　呼び出しコール回数が設定されたコール回数と同一であるときに前記発信用電話器の発信電話番号を認識する認識手段と、
　複数の発信電話番号があらかじめ登録されて記憶された発信電話番号記憶手段と、
　前記認識された発信電話番号と、あらかじめ登録されて記憶された複数の発信電話番号とを比較する電話番号比較手段と、
　比較の結果、同一の電話番号か否かを判定する同一判定手段と、
　同一の電話番号であるとき、あるいは同一でないときの判定結果を各々出力する判定結果出力手段と、
　同一の電話番号であるとの情報出力によりゲートを開扉するゲート開扉手段と、
　を備えたことを特徴とし、
　または、
　発信した電話器の電話番号が相手側電話器に認識出来るよう設定された複数の発信用電話器と、
　前記複数の発信用電話器からの送信により発信電話番号を認識しうる受け側電話器と、
　を有し、
　前記受け側電話器側には、
　複数の発信電話番号があらかじめ登録されて記憶された発信電話番号記憶手段と、
　記憶された発信電話番号毎に特定の出力位置が設定される出力位置設定手段と、
　前記発信用電話器からの送信により発信電話番号を認識する認識手段と、
　前記認識された発信電話番号と、あらかじめ登録されて記憶された複数の電話番号とを比較する電話番号比較手段と、
　比較の結果、同一の電話番号か否かを判定する同一判定手段と、
　同一の電話番号であるとき、あるいは同一でないときの判定結果を各々出力する判定結果出力手段と、
　同一の電話番号であるとの判定結果が前記特定出力位置に出力され、前記特定の出力位置におけるゲートが開扉されるゲート開扉手段と、
　を備えたことを特徴とするものである。
【００１０】
　本発明において図１に示すように、発信用電話器１は、自己の発信電話番号が相手側電話器に認識出来るよう設定されている。
【００１１】
　前記発信用電話器１からの送信により電話回線網２０を介して受け側電話器２は、発信電話番号３を認識出来る。
【００１２】
　そして、受け側電話器２側では、
　複数の発信電話番号３・・・が発信電話番号記憶手段４によりあらかじめ登録されて記憶されている。
【００１３】
　また、認識手段５により発信用電話器１からの送信により発信電話番号３が認識される。
【００１４】
　そして、電話番号認識手段５により前記認識された発信電話番号３と、あらかじめ登録されて記憶された複数の発信電話番号３とが比較手段２２により比較される。
【００１５】
　これら発信電話番号３，３の比較の結果、同一判定手段６により同一の電話番号か否かが判定される。
【００１６】
　さらに、判定結果出力手段７により、同一の発信電話番号３であるとき、あるいは同一でないときの判定結果が各々出力される。
【００１７】
　そして、同一の発信電話番号３であるとき、ゲート開扉手段２１によりゲートが開扉される。
【００１８】
　また、
　図２に示すように、前記受け側電話器１側では、
コール回数設定手段８およびコール回数判定手段９が設けられ、コール回数設定手段８では、あらかじめ何回コールされるかを設定し、この設定コール回数に達した発信用電話器１の発信電話番号３か否かをコール回数判定手段９で判定する。
【００１９】
　そして、コール回数判定手段９により前記受け側電話器２に対する呼び出しコール回数があらかじめ設定されたコール回数と同一であるときに前記発信用電話器１の発信電話番号３が認識手段５により認識される。
【００２０】
　その後、前記の場合と同様に、電話番号認識手段５により前記認識された発信電話番号３と、あらかじめ登録されて記憶された複数の発信電話番号３とが比較手段２２により比較され、これら発信電話番号３，３の比較の結果、同一判定手段６により同一の電話番号か否かが判定される。
【００２１】
　さらに、判定結果出力手段７により、同一の発信電話番号３であるとき、あるいは同一でないときの判定結果が各々出力されることとなる。
【００２２】
　そして、同一の発信電話番号３であるとき、ゲート開扉手段２１によりゲートが開扉される。
また、
　図６、図７に示すように、発信した電話器の電話番号が相手側電話器に認識出来るよう設定された複数の発信用電話器１・・・が備えられている。
【００２３】
　前記複数の発信用電話器１からの送信により電話回線網２０を介して受け側電話器２は各々の発信電話番号３を認識しうる。
【００２４】
　受け側電話器２側では、
　複数の発信電話番号３・・・が発信電話番号記憶手段４によりあらかじめ登録されて記憶されている。
【００２５】
　また、出力位置設定手段２３によって前記記憶された発信電話番号３毎に特定の出力位置２４が設定されている。
【００２６】
　そして、認識手段５によって前記発信用電話器１からの送信による発信電話番号３が認識される
　前記認識された発信電話番号３と、あらかじめ登録されて記憶された複数の電話番号とが電話番号比較手段２２によって比較され、該比較の結果、同一の電話番号か否かが同一判定手段６により判定される。
【００２７】
　同一の電話番号であるとき、あるいは同一でないときの判定結果が判定結果出力手段７によって各々出力され、特に同一の電話番号であるとの判定結果の場合は、その判定結果が前記出力位置設定手段２３を介して特定された出力位置２４に出力され、かつゲート開扉手段２１によって前記特定の出力位置２４におけるゲートが開扉される。
【発明の効果】
【００２８】
　かくして、本発明は以上の構成からなる。
【００２９】
　そして本発明による出入管理システムであれば、当該システムの構築に時間と手間と費用がかからず、またゲートがあやまって開扉され、通行不許可者が簡単に出入りするおそれがない。
【発明を実施するための最良の形態】
【００３０】
　以下本発明を図に示す実施例に基づいて説明する。
【実施例１】
【００３１】
　図に示す発信用電話器１については携帯電話あるいはＰＨＳ（Ｐｅｒｓｏｎａｌ ｈａｎｄｙｐｈｏｎ ｓｙｓｔｅｍ）と称される簡易型携帯電話器あるいは一般の固定電話器のいずれでも構わない。また、これら発信用電話器１には固有の電話番号がそれぞれ設定されている。
【００３２】
　そして、該発信用電話器１についてはその発信電話番号３が相手側電話器に認識できるよう設定された電話器に限定される。
【００３３】
　すなわち、受け側電話器２に発信するに際し、自己の電話番号を非通知設定とし、前記受け側電話器２が当該発信電話番号を認識できない電話器は前記発信用電話器１として使用できない。そのような発信用電話器についてはその設定を通知設定に変更する必要がある。
【００３４】
　次に、図３から理解されるように、受け側電話器２側には、集積回路（ＩＣ）等で構成された発信電話番号検出部１０，ＣＰＵ等で構成された処理部１１，ＲＡＭ、ＲＯＭ等の登録部１２及びディスプレイ等からなる表示部１３等を備えた処理装置１４が接続されている。
【００３５】
　さらに、該処理装置１４には入力端末１５及びゲート開扉部１６が各々インターフェイスを介して接続されている。
【００３６】
　ここで、受け側電話器２側では、電話回線網２０を介して外部の携帯電話器等の発信用電話器１と無線電話回線の接続がなされ、電話会社の発信番号通知サービスにより前記外部の携帯電話器等発信用電話器１の発信電話番号３を発信電話番号検出部１０が認識し、検出出来るよう構成されている。
【００３７】
　そして、この発信電話番号検出部１０が認識し検出した発信電話番号３は、処理部１１に送出される。
【００３８】
　処理部１１では、送入された発信電話番号３と登録部１２にあらかじめ登録され記憶されている電話番号３とが一致するか否かが比較されて、該発信電話番号３があらかじめ登録されている電話番号３と同一か否が判定される。
【００３９】
　尚、前記発信電話番号３をあらかじめ登録する入力操作は入力端末１５により行われる。
【００４０】
　そして、前記発信電話番号３が登録されている電話番号３と同一であるときには、その出力結果がゲート開扉部１６に出力される。
【００４１】
　ゲート開扉部１６では前記の出力結果を受けて、所定のゲートを開扉する操作が行われる。
【実施例２】
【００４２】
　次に、図４に第２実施例を示す。
【００４３】
　この実施例では、図４から理解されるように、受け側電話器２側にコール回数判定部１８及びコール回数設定部１９が設けられる。
【００４４】
　これは、本発明による出入管理システムにつき、さらにセキュリティの充実を図ったもので、あらかじめコール回数設定部１９で設定された回数だけコールした発信用電話器１についてのみしか発信電話番号３の認識操作に移行しないものとする。
【００４５】
　よって、例えば発信用電話器１が携帯電話器であり、しかもそれが盗難に遭ったとして、かかる携帯電話器で発信されたとする。
【００４６】
　その場合、発信電話番号３が仮に登録されている電話番号３と同一の電話番号であったとしても、あらかじめ設定されたコール回数と同じ数だけコールしなければ、その段階で本システムの処理が切断されることとなる。
【００４７】
　尚、このコール回数設定部１９によるコール回数の設定も前記入力端末１５により行われる。
【００４８】
　ところで、例えば、本発明によるシステムを各種ゲート開閉操作に使用している場合、不意の来客者のときは、その来客者は通常の場合、本発明による発信用電話器１を所持してはいない。この様なとき、不意の来客者は本発明による発信用電話器１を所持する者に電話連絡をとり、その者から電話を発信してもらうことにより扉を開扉することも出来る。
【００４９】
　この様に、正当な発信用電話器１を所持する者が近くにいなくとも、相互の電話連絡により本システムのゲート開扉が行える。
【００５０】
　極端な例では、正当な発信用電話器１を所持する者が国内の何処にいても本システムは稼働できることとなる。しかも通話料金は不要である。
【００５１】
　次に、図５に示すフローチャートに基づいて第２実施例における受け電話器側の動作を説明する。
【００５２】
　まず、発信用電話器１からのコール回数がコール回数判定部１８により算出、判定され（ステップ１００）、あらかじめコール回数設定部１９により設定された回数、例えば３回のコールと設定されていれば、３回のコールで切断された電話の電話番号のみ電話番号の認識作業に移行する。
【００５３】
　従って、３回以前に切断されたもの、あるいは４回以上コールされたものはその段階で本発明による出入管理システムの対象から外される（ステップ１００でＮＯ）。
【００５４】
　しかして、発信者電話器１からのコール回数がコール回数判定部１８により算出、判定され、あらかじめコール回数設定部１９により設定された回数、例えば３回のコールと設定されているとき、３回のコールで切断されたものであれば、その電話の発信電話番号３の認識作業に移行する（ステップ１００でＹＥＳ及びステップ１０２）。
【００５５】
　そして、発信用電話器１の電話番号があらかじめ登録されている電話番号か否かが処理部１１で判定された結果（ステップ１０６）、該電話番号があらかじめ登録されている電話番号と同一であるときには（ステップ１０６でＹＥＳ）、ゲート開扉部１６によりゲートが開扉されることとなる（ステップ１０８）。
【００５６】
　しかし、発信用電話器１の電話番号があらかじめ登録されている電話番号か否かが処理部１１で判定された結果（ステップ１０６）、該電話番号があらかじめ登録されている電話番号と異なるときには（ステップ１０６でＮＯ）、ゲート開扉部１６に出力されることなく動作を終了することとなる。
【実施例３】
【００５７】
　図８に実施例３の構成を示す。
【００５８】
　受け側電話器２側には、集積回路（ＩＣ）等で構成された発信電話番号検出部１０，ＣＰＵ等で構成された処理部１１，ＲＡＭ、ＲＯＭ等の登録部１２及びディスプレイ等からなる表示部１３，出力位置設定部２５等を備えた処理装置１４が接続されている。
【００５９】
　前記処理部１１では外部等からの入力端末１５等であらかじめ登録された発信用電話番号に対応させ、出力位置設定部２５で設定した複数あるコインボックス等における各々のコインボックス（出力位置２４）の扉等の開扉が行われる。
【００６０】
　なお、該処理装置１４には入力端末１５及びゲート開扉部１６が各々インターフェイスを介して接続されている。
【００６１】
　図８により説明すると、複数の発信用電話器１・・・から受け側電話器２にコールされる。
【００６２】
　ここで、受け側電話器２側では、電話回線網２０を介して外部の携帯電話器等からなる各々の発信用電話器１との接続がなされ、電話会社の発信番号通知サービスにより前記外部の各々の携帯電話器等発信用電話器１の発信電話番号３を発信電話番号検出部１０が検出し、認識する。
【００６３】
　そして、この発信電話番号検出部１０が検出し、認識した発信電話番号３は、処理部１１に送出される。
【００６４】
　処理部１１では、送入された発信電話番号３と登録部１２にあらかじめ登録され記憶されている電話番号３とが一致するか否かが比較されて、該発信電話番号３があらかじめ登録されている電話番号３と同一か否が判定される。
【００６５】
　尚、前記発信電話番号３をあらかじめ登録する入力手段は各種の入力端末１５（パソコンキーボード、テンキー、ディップスイッチ、ロータリースイッチ）等により行われるか、あるいは前記発信用電話器１からのコールを受信し、該発信電話番号３を発信電話番号検出部１０が認識、検出した際、該番号をダイレクトに登録する等により行える。
【００６６】
　そして、この電話番号の登録の際に、登録（記憶）された電話番号毎にたとえば複数あるコインボックス等において扉を開閉すべき特定の出力位置２４（コインボックス）が出力位置設定部２５および処理部１１により設定される。
【００６７】
　すなわち、複数の発信用電話器１に対応して複数あるコインボックス等において扉を開閉すべきコインボックスが各々割り当てられることになる。
【００６８】
　そして、前記各々の発信電話番号３が登録されている電話番号３と同一であるときには、その出力結果が前記割り当てられた出力位置、すなわち複数あるコインボックス等において扉を開閉すべく割り当てられた特定コインボックスの扉開扉の出力信号としてゲート開扉部１６に出力される。
【００６９】
　ゲート開扉部１６では前記の出力結果を受けて、所定のゲートを開扉する操作が行われるのである。
【図面の簡単な説明】
【００７０】
【図１】本発明の原理説明図（その１）である。
【００７１】
【図２】本発明の原理説明図（その２）である。
【００７２】
【図３】第１実施例の説明図である。
【００７３】
【図４】第２実施例の説明図である。
【００７４】
【図５】受け側電話器の動作を示すフローチャートである。
【００７５】
【図６】本発明の原理説明図（その３）である。
【００７６】
【図７】本発明の原理説明図（その４）である。
【００７７】
【図８】第３実施例の説明図である。
【符号の説明】
【００７８】
　　１　　　発信用電話器
　　２　　　受け側電話器
　　３　　　発信電話番号
　　４　　　電話番号記憶手段
　　５　　　認識手段
　　６　　　同一判定手段
　　７　　　判定結果出力手段
　　８　　　コール回数設定手段
　　９　　　コール回数判定手段　　　
　１０　　　発信電話番号検出部
　１１　　　処理部
　１２　　　登録部
　１３　　　表示部
　１４　　　処理装置
　１５　　　入力端末
　１６　　　ゲート開扉部
　１８　　　コール回数判定部
　１９　　　コール回数設定部
　２０　　　電話回線網
２１　　　ゲート開扉手段　
２２　　　比較手段　
２３　　　出力位置設定手段
　２４　　　出力位置
　２５　　　出力位置設定部
【図１】
2004076571.tif 000003
【図２】
2004076571.tif 000004
【図３】
2004076571.tif 000005
【図４】
2004076571.tif 000006
【図５】
2004076571.tif 000007
【図６】
2004076571.tif 000008
【図７】
2004076571.tif 000009
【図８】
2004076571.tif 000010